(57)【特許請求の範囲】
【請求項１】
窓や通路等を仕切ったり覆ったりする開閉体と、
この開閉体の繰り出しを案内するガイドレールと、
上記開閉体の外側面又は内側面の一方又は両方に取り付けられて開閉体を補強する閂と、
上記開閉体の繰り出しに伴って繰り出される閂を案内する、上記開閉体のガイドレールに併設された閂案内部と、
この閂案内部に、しかも、上記開閉体のガイドレールに近接されて設けられた、閂の移動を案内する閂案内溝と、
この閂案内溝に設けられた、上記閂を所定位置で支持するストッパと、
上記閂又は開閉体のいずれか一方に設けられた係止部と、
上記開閉体又は閂の他方に設けられ、上記係止部が係止されることで開閉体と閂とが互いに一体的に支持される被係止部とを備え、
上記開閉体の閉鎖動作時には、上記開閉体の端部に設けられた座板が上記閂を支持して上記ストッパまで移動させて上記所定位置で上記ストッパが上記閂を支持する状態に移行させると共に、上記開閉体の閉鎖動作によって上記閂が上記所定位置になったときに上記係止部と上記被係止部とを係止させ、
上記開閉体の開放動作時には、上記座板が上記所定位置に進行したときに、上記ストッパが支持していた上記閂を支持するように移行すると共に、上記係止部と上記被係止部との係止を解放させる
ことを特徴とする開閉体の補強構造。
【請求項２】
請求項１に記載の開閉体の補強構造において、
上記閂の両端部に、その両端部が上記閂案内溝内に挿入された状態で閂の閂案内溝に沿う移動を許容すると共に、抜け落ちを防止する抜け止め手段を設けたことを特徴とする開閉体の補強構造。
【請求項３】
窓や通路等を仕切ったり覆ったりする開閉体と、
この開閉体の繰り出しを案内する、一定間隔をおいて平行に配設された一対のガイドレールと、
上記開閉体の外側面又は内側面の一方又は両方に取り付けられて開閉体を補強する閂と、
上記開閉体の繰り出しに伴って繰り出される閂を案内する、上記各ガイドレールから互いに逆方向の外方に張り出した案内板と、
上記閂の両端部に取り付けられた状態で上記各案内板にそれぞれの外側から移動可能に引っ掛かって閂の上記案内板に沿う移動を支持する移動片と、
コ字型の側面形状を有し、上方が開口するように上記ガイドレールに設けられ、上記閂を所定位置で支持するストッパと、
上記閂又は開閉体のいずれか一方に設けられた係止部と、
上記開閉体又は閂の他方に設けられ、上記係止部が係止されることで開閉体と閂とが互いに一体的に支持される被係止部とを備え、
上記開閉体の閉鎖動作時には、上記開閉体の端部に設けられた座板が上記閂を支持して上記ストッパまで移動させて上記所定位置で上記ストッパが上記閂を支持する状態に移行させると共に、上記開閉体の閉鎖動作によって上記閂が上記所定位置になったときに上記係止部と上記被係止部とを係止させ、
上記開閉体の開放動作時には、上記座板が上記所定位置に進行したときに、上記ストッパが支持していた上記閂を支持するように移行すると共に、上記係止部と上記被係止部との係止を解放させる
ことを特徴とする開閉体の補強構造。
【請求項４】
請求項１乃至３のいずれか１項に記載の開閉体の補強構造において、
上記閂の開閉体側面に、開閉体と緩やかに接触して開閉体のガタツキを抑える開閉体押え部材を設けたことを特徴とする開閉体の補強構造。
【発明の詳細な説明】
【０００１】
【発明の属する技術分野】
本発明は、窓や通路等を仕切ったり覆ったりするシャッター、ドア、ブラインド、スクリーン等の開閉体の強度の向上を図った開閉体の補強構造に関する。
【０００２】
【従来の技術】
従来からシャッター等の開閉体の強度を向上させるために種々の対策が取られている。その対策を、シャッターを例にして以下に列記する。
【０００３】
（１）  スラット剛性を上げる方法
スラットを組み合わせたシャッターの場合は、スラット自体の板厚を厚くしたり、形状を大きくする。
【０００４】
（２）  スラットに抜け止め用爪を付ける方法
スラットの両側に抜け止め用爪を設け、この抜け止め用爪をガイドレールに引っかける。これにより、強風が吹いた場合でも、抜け止め用爪がガイドレールに引っかかってスラットがガイドレールから抜け落ちるのを防止することができる。
【０００５】
（３）  閂で補強する方法
ガイドレールやその両側の壁部等に閂支持部を設け、手操作にて、スラットの表面又は裏面に沿って横方向に閂を通してスラットのたわみを防止する。
【０００６】
（４）  シャッター支承竿で補強する方法
実開平４−４８３９５号公報記載の「シャッターの風圧撓み防止装置」のように、折りたたみ可能なシャッター支承竿を、シャッターボックスとシャッターの下端部とに支承して、シャッターの撓みを防止する。
【０００７】
【発明が解決しようとする課題】
ところが、上述した各方法では次のような問題点がある。
【０００８】
（１）  スラット剛性を上げる方法では、材料費が嵩み、スラットの重量が大きくなってバランスが取り難くなり、開閉機の容量がアップする。この結果、全体としてコストアップになってしまう。
【０００９】
（２）  スラットに抜け止め用爪を付ける方法では、スラットがガイドレールから抜け落ちるのを防止することはできるが、たわみを押さえることはできない。大開口を塞ぐ大型のシャッターの場合は特にたわみが大きくなる。このたわみにより、窓シャッターではスラットがサッシにあたって音がする。また、ガレージシャッターではたわんだスラットが車にあたって傷つく等の問題点がある。
【００１０】
（３）  閂で補強する方法では、閂の置き場所が必要になる。さらに、強風時等にその都度、置き場所から閂を持ちだして閂支持部に取り付ける必要がある。このため、置き場所の確保、閂の取り付け作業が繁雑である。
【００１１】
（４）  シャッター支承竿で補強する方法では、シャッター支承竿が折りたたみ可能な構造であるため、シャッター支承竿自体の強度が弱い。また、シャッター支承竿の下端部はシャッター自体に取り付けられているため、シャッターがガイドレールから外れることに対する補強にはなっておらず、強風でシャッターがガイドレールから外れてしまうおそれがある。
【００１２】
本発明はこのような問題点に鑑みてなされたもので、十分な強度を確保すると共に取り扱いが容易で安価な開閉体の補強構造を提供することを目的とする。
【００１３】
【課題を解決するための手段】
第１の発明に係る開閉体の補強構造は、窓や通路等を仕切ったり覆ったりする開閉体と、この開閉体の繰り出しを案内するガイドレールと、上記開閉体の外側面又は内側面の一方又は両方に取り付けられて開閉体を補強する閂と、上記開閉体の繰り出しに伴って繰り出される閂を案内する、上記開閉体のガイドレールに併設された閂案内部と、この閂案内部に、しかも、上記開閉体のガイドレールに近接されて設けられた、閂の移動を案内する閂案内溝と、この閂案内溝に設けられた、上記閂を所定位置で支持するストッパと、上記閂又は開閉体のいずれか一方に設けられた係止部と、上記開閉体又は閂の他方に設けられ、上記係止部が係止されることで開閉体と閂とが互いに一体的に支持される被係止部とを備え、上記開閉体の閉鎖動作時には、上記開閉体の端部に設けられた座板が上記閂を支持して上記ストッパまで移動させて上記所定位置で上記ストッパが上記閂を支持する状態に移行させると共に、上記開閉体の閉鎖動作によって上記閂が上記所定位置になったときに上記係止部と上記被係止部とを係止させ、上記開閉体の開放動作時には、上記座板が上記所定位置に進行したときに、上記ストッパが支持していた上記閂を支持するように移行すると共に、上記係止部と上記被係止部との係止を解放させることを特徴とする。
【００１４】
上記構成により、シャッター等の開閉体が繰り出されて窓等を仕切ったり覆ったりする。次いで、閂を閂案内部に沿って開閉体の外側面又は内側面に繰り出す。これにより、開閉体が閂に支持されて補強される。一般的なシャッター等の場合は繰り出された後、元の状態に戻されるが、このときは閂も閂案内部に沿って元の状態に戻される。また、防火シャッター等のように、繰り出される場合を主に考慮すれば良いものに対しては、閂も閂案内部に沿って繰り出されることのみを考慮することとしても良い。なお、本発明において閂案内部とは、ガイドレールに併設された閂が通過する溝のように特別に設けられたものや、明確に視認できるものを意味しているのは当然である。
また、閂は閂案内溝に案内されて、開閉体と同じ方向に繰り出される。開閉体が収納ボックスから繰り出されると、それに伴って閂が閂案内溝に沿って収納ボックス側から繰り出されて開閉体の外側面又は内側面に配置され、開閉体を補強する。さらに、開閉体が収納ボックスから繰り出されると、開閉体の端部の座板に支持された閂が開閉体に連動して繰り出されて、開閉体を補強する。開閉体が巻き取られると、座板に支持された閂も同時に収納される。さらにまた、開閉体が引き出されると共に閂が開閉体の外側面又は内側面の設定位置に配設された状態で、係止部が被係止部に係止して開閉体と閂とが互いに一体的に支持される。これにより、開閉体のガタツキを閂が抑え、ガタツキ音の発生を防止する。
第２の発明に係る開閉体の補強構造は、第１の発明に係る開閉体の補強構造において、上記閂の両端部に、その両端部が上記閂案内溝内に挿入された状態で閂の閂案内溝に沿う移動を許容すると共に、抜け落ちを防止する抜け止め手段を設けたことを特徴とする。
【００１５】
上記構成により、閂の両端部の抜け止め手段が閂案内溝内に挿入された閂を支持するので、閂の出し入れの際に誤って閂が外れてしまうことがなくなる。
【００１６】
第３の発明に係る開閉体の補強構造は、窓や通路等を仕切ったり覆ったりする開閉体と、この開閉体の繰り出しを案内する、一定間隔をおいて平行に配設された一対のガイドレールと、上記開閉体の外側面又は内側面の一方又は両方に取り付けられて開閉体を補強する閂と、上記開閉体の繰り出しに伴って繰り出される閂を案内する、上記各ガイドレールから互いに逆方向の外方に張り出した案内板と、上記閂の両端部に取り付けられた状態で上記各案内板にそれぞれの外側から移動可能に引っ掛かって閂の上記案内板に沿う移動を支持する移動片と、コ字型の側面形状を有し、上方が開口するように上記ガイドレールに設けられ、上記閂を所定位置で支持するストッパと、上記閂又は開閉体のいずれか一方に設けられた係止部と、上記開閉体又は閂の他方に設けられ、上記係止部が係止されることで開閉体と閂とが互いに一体的に支持される被係止部とを備え、上記開閉体の閉鎖動作時には、上記開閉体の端部に設けられた座板が上記閂を支持して上記ストッパまで移動させて上記所定位置で上記ストッパが上記閂を支持する状態に移行させると共に、上記開閉体の閉鎖動作によって上記閂が上記所定位置になったときに上記係止部と上記被係止部とを係止させ、上記開閉体の開放動作時には、上記座板が上記所定位置に進行したときに、上記ストッパが支持していた上記閂を支持するように移行すると共に、上記係止部と上記被係止部との係止を解放させることを特徴とする。
この発明においても、閂の案内構造以外については、第１の発明に係る開閉体の補強構造と同様に作用する。これに加え、移動片は案内板に引っ掛かった状態で案内板に沿って移動するので、移動片を有する閂が、ガイドレールに沿って移動し、設定位置で開閉体を補強する。
【００１７】
第４の発明に係る開閉体の補強構造は、第１乃至第３のいずれかの発明に係る開閉体の補強構造において、上記閂の開閉体側面に、開閉体と緩やかに接触して開閉体のガタツキを抑える開閉体押え部材を設けたことを特徴とする。
【００１８】
上記構成により、閂が設定位置で開閉体を補強すると共に、閂に設けられた開閉体押え部材が開閉体と緩やかに接触して開閉体のガタツキを抑える。これにより、開閉体のガタツキ音の発生を抑えることができる。特に、開閉体としてシャッターを用いる場合に、ガタツキ音を効果的に抑えることができる。
【００１９】
【発明の実施の形態】
以下、本発明に係る開閉体の補強構造について、添付図面を参照しながら説明する。なおここでは、開閉体としてスラット式のシャッターを例に説明する。
【００２０】
［第１実施形態］
図１は本実施形態に係るシャッターの補強構造を示す要部斜視図である。図２は本実施形態に係るシャッターの全体構成を示す斜視図である。
【００２１】
本実施形態に係るシャッター１は、図示するように主に、シャッターボックス２と、スラット３と、ガイドレール４，５と、下枠６とから構成されている。
【００２２】
シャッターボックス２は、スラット３を巻き取って収納するためのもので、窓や通路等の上部に取り付けられている。
【００２３】
スラット３は、縦方向に多数接続されて空間を仕切る平板を構成し、その最下端部に座板７が取り付けられている。この座板７は断面形状をほぼＬ字型に形成され、その下部が外側方向へ水平に張りだした水平板部７Ａとなっている。この水平板部７Ａは、その先端部が後述するガイドレール４，５の閂案内溝部１０とほぼ面一になる程度に外側方向へせり出して形成され、閂案内溝部１０内に挿入された後述の閂１４をその下側から支持するようになっている。
【００２４】
ガイドレール４，５は、スラット３を両側から挟むように、互いに対向して設けられている。各ガイドレール４，５は、補強管部８と、スラット案内溝部９と、閂案内溝部１０とから構成されている。
【００２５】
補強管部８は、ガイドレール４，５全体の強度を保つと共に、窓枠や壁等に直接に固定されてガイドレール４，５の全体を支持するためのものである。
【００２６】
スラット案内溝部９は、スラット３の両側端部を挟持してそのスラット３を前後方向（窓等の内外側方向）から支持すると共に、上下方向への移動を許容している。このスラット案内溝部９は、補強管部８に一体的に設けられ、スラット３側（互いに対向する側）が開口した断面コの字状の縦溝として構成されている。スラット案内溝部９の開口側端部には、その縦方向全長にモヘア１２が設けられている。このモヘア１２は、スラット３にその表面側と裏面側の両側から挟持するように接触して、スラット３を支持する。これにより、風等でスラット３が揺すられた場合にも、スラット３がガイドレール４，５側に直接に接触してガタツキ音が発生しないようになっている。
【００２７】
閂案内溝部１０は、閂１４の両側端部を挟持してこの閂１４を前後方向（窓等の内外側方向）から支持すると共に、上下方向への移動を許容して案内する閂案内部である。この閂案内溝部１０は、スラット案内溝部９に一体的に設けられ、閂１４側（互いに対向する側）が開口した断面コの字状の縦溝として構成されている。即ち、スラット案内溝部９とほぼ同じ構成で、閂１４に合わせて厚みを持たせた構成となっている。
【００２８】
閂案内溝部１０の開口側端部には、その縦方向全長にモヘア１５が設けられている。このモヘア１５は、閂１４にその表面側と裏面側の両側から挟持するように接触して、閂１４を支持する。これにより、風等でスラット３が揺すられて閂１４がスラット３によって押された場合でも、その閂１４がガイドレール４，５側に接触してガタツキ音が発生しないようになっている。
【００２９】
閂案内溝部１０内には、その縦方向のほぼ中央位置にストッパ１６が設けられている。このストッパ１６は、閂案内溝部１０の内側壁に直接に固定される縦板部１６Ａと、この縦板部１６Ａから水平方向に延びて閂１４を支持する水平板部１６Ｂとから構成されている。
【００３０】
これにより、閂１４は、その両端部がそれぞれ閂案内溝部１０内に挿入された状態で、上下方向に、上記ストッパ１６とシャッターボックス２の下側面との間で移動できるようになっている。
【００３１】
［動作］
以上のように構成されたシャッターの補強構造では、次のようにしてスラット３の強度が補われる。
【００３２】
図３（Ａ）（Ｂ）に示すように、スラット３がシャッターボックス２内に巻き取られているときは、スラット３の最下端部に位置する座板７がシャッターボックス２の直下の位置まで引き上げられている。これにより、座板７の水平板部７Ａが閂１４を下側から支持してシャッターボックス２の下側位置まで持ち上げている。
【００３３】
スラット３が引き下ろされると、座板７と共に座板７に支持されている閂１４も下方へ降りてくる。そして、図３（Ｃ）（Ｄ）に示すように、座板７がストッパ１６よりも下方まで引き下ろされると、閂１４はストッパ１６で支持されて止まる。スラット３はさらに引き下ろされて、図３（Ｅ）（Ｆ）に示すように、下枠６に達して完全に閉じられる。
【００３４】
この状態で、強風等によりスラット３が押されるとスラット３はたわむが、少したわんだところで閂１４に接触して支持される。これにより、スラット３のたわみは最低限に抑えられる。この結果、強風等に対してスラット３がたわんで大きく曲がったりガイドレール４，５から外れたりすることがなくなる。
【００３５】
スラット３をシャッターボックス２内に巻き取るときは、上記の場合と逆の行程となる。即ち、スラット３が引き上げられると、座板７が閂１４を下側から支持して持ち上げ、シャッターボックス２の下側面に当接して支持する。
【００３６】
［効果］
以上のように、閂１４を閂案内溝部１０で支持して上下に移動できるようにしたので、閂１４のために特別に置き場所を確保する必要がなく、さらにその置き場所から閂１４を持ちだしてシャッターに取り付ける必要もなくなる。また、閂１４はスラット３の座板７で支持して上下に移動されるようにしたので、閂１４の取り付け作業を一切必要としない。この結果、閂１４の取り扱いが極めて容易になる。
【００３７】
さらに、閂１４を取り付けるための構造としては、単に閂案内溝部１０を設けるだけなので、構造が簡単で安価に製造できると共に、シャッターを補強することができる。
【００３８】
また、スラット３はその座板７に支持された閂１４の自重によって下方に付勢されているので、軽い力でスラット３を引き下ろすことができるようになる。
【００３９】
［第２実施形態］
次に本発明の第２実施形態に係るシャッターの補強構造について説明する。
【００４０】
本実施形態に係るシャッターの全体構成は上記第１実施形態に係るシャッター１とほぼ同様であるので、同一部材には同一符号を付してその説明を省略する。なお、図４は本実施形態に係るシャッターの補強構造を示す要部斜視図である。図５は図４のシャッターの補強構造を示す平面図である。
【００４１】
本実施形態に係るシャッターの補強構造の特徴は、閂２１の閂案内溝部１０からの抜け落ちを防止する対策を施した点になる。具体的には、閂２１を次のように改良した。なお、ガイドレール４，５は上記第１実施形態と同様の構成を有している。即ち、補強管部８とスラット案内溝部９と閂案内溝部１０とから構成されている。
【００４２】
閂案内溝部１０の開口側端部に設けられたモヘア１５は、その基端部をモヘア嵌合溝２２にはめ込まれて取り付けられている。モヘア１５は、その断面形状をＴ字型に形成されている。モヘア嵌合溝２２は、その断面形状をＴ字型のモヘア１５に合わせてあり溝状に形成されている。これにより、モヘア１５の基端部があり溝状のモヘア嵌合溝２２に嵌合されて取り付けられている。このモヘア嵌合溝２２は、閂案内溝部１０の開口側端部において、互いに対向して一対設けられている。さらに、モヘア嵌合溝２２の外形は、閂案内溝部１０の内側面から隆起した段部として縦方向全長に亘って形成されている。この段部状のモヘア嵌合溝２２の一側面（図５中の左側面）は、後述する抜け止め用ローラ２４を支持するローラ受け部２２Ａとなっている。
【００４３】
閂２１の両端部には、一対のローラ取り付け穴２３がそれぞれ設けられている。各ローラ取り付け穴２３にはそれぞれ抜け止め用ローラ２４が取り付けられている。この抜け止め用ローラ２４は、ローラ取り付け穴２３に挿入され、閂２１の内側に挿入されるローラ取り付け金具２５の各ネジ穴２５Ａ，２５Ｂにねじ込まれて固定されている。
【００４４】
これ以外は上記第１実施形態に係るシャッター１と同様の構成を有している。
【００４５】
［動作］
以上のように構成された本実施形態のシャッターの全体的な動作は上述した第１実施形態のシャッター１と同様である。
【００４６】
スラット３がシャッターボックス２内に収納されているときには、閂２１はシャッターボックス２の下側に位置している。スラット３をシャッターボックス２から引き出すと、座板７に支持された閂２１も降下する。このとき、閂案内溝部１０内では、閂２１の抜け止め用ローラ２４がローラ受け部２２Ａに当接して閂案内溝部１０内を転がる。これにより、閂２１は、閂案内溝部１０に支持された状態で抜け落ちることなくスムーズに降下して、ストッパ１６に支持される。
【００４７】
スラット３を巻き上げるときには、ストッパ１６に支持された閂２１が座板７に支持されて持ち上げられる。これにより、閂２１は、閂案内溝部１０に支持された状態で抜け落ちることなくスムーズに上昇して、シャッターボックス２の下側まで移動される。
【００４８】
［効果］
以上のように、閂２１の先端部に、閂案内溝部１０内のモヘア嵌合溝２２に当接するローラ２５，２６を取り付けたので、閂２１の移動がスムーズになると共に、閂２１の閂案内溝部１０からの抜け落ちを防止することができる。
【００４９】
［第３実施形態］
次に本発明の第３実施形態に係るシャッターの補強構造について説明する。
【００５０】
本実施形態に係るシャッターの全体構成は上記第１実施形態に係るシャッター１とほぼ同様であるので、同一部材には同一符号を付してその説明を省略する。なお、図６は本実施形態に係るシャッターの補強構造を示す要部斜視図である。図７は図６のシャッターの補強構造を示す平面図である。
【００５１】
本実施形態に係るシャッターの補強構造の特徴は、ガイドレール３１と閂３２にある。
【００５２】
ガイドレール３１には、第１実施形態のガイドレール４，５と同様に、補強管部８とスラット案内溝部９は設けられているが、閂案内溝部１０は設けられていない。この閂案内溝部１０の変わりに、案内板３３が設けられている。この案内板３３は、スラット案内溝部９の側壁９Ａを外側（図７中の左側）へせり出して形成されている。このせり出した案内板３３は、ガイドレール３１の縦方向全長に亘って形成されている。
【００５３】
ガイドレール３１の縦方向中央付近にはストッパ３４が形成されている。このストッパ３４は、側面形状をコ字型、平面形状をＬ字型に形成されている。ストッパ３４は、そのコ字型の側面形状が上方に開口するように配設されている。これにより、ストッパ３４の開口部３４Ａに閂３２が嵌合して支持されるようになっている。ストッパ３４は、案内板３３の切欠き３３Ａに嵌合した状態で、その基端取り付け部３４Ｂが補強管部８及びスラット案内溝部９の裏面にネジ３５で固定されている。ストッパ３４の先端は、安全のために、平面形状をＬ字型に折り曲げて形成されている。
【００５４】
閂３２の全体構成は上記閂１４と同様であるが、その両側先端部には移動片としてのスライダ３６が設けられている。このスライダ３６は、閂３２の端部に嵌合する嵌合部３６Ａと、この嵌合部３６Ａの一側から案内板３３を包むように曲がり込んだ状態で張り出して設けられた摺接支持部３６Ｂとから構成されている。これにより、スライダ３６は、その摺接支持部３６Ｂが案内板３３に係止された状態で、ストッパ３４とシャッターボックス２との間で上下に摺動する。なお、スライダ３６の材料としては、成形しやすさ及び滑りやすさを考慮して、硬質の合成樹脂を用いる。
【００５５】
これ以外は上記第１実施形態に係るシャッター１と同様の構成を有している。
【００５６】
［動作］
以上のように構成された本実施形態のシャッターの全体的な動作は上述した第１実施形態のシャッター１と同様である。
【００５７】
スラット３がシャッターボックス２内に収納されているときには、閂３２はシャッターボックス２の下側に位置している。スラット３をシャッターボックス２から引き出すと、座板７に支持された閂３２も降下する。このとき、閂３２の両端部では、スライダ３６の摺接支持部３６Ｂがガイドレール３１の案内板３３に引っ掛かってスライドする。これにより、閂３２は、案内板３３に支持された状態で抜け落ちることなくスムーズに降下して、ストッパ３４に支持される。
【００５８】
スラット３を巻き上げるときには、ストッパ３４に支持された閂３２が座板７に支持されて持ち上げられる。これにより、閂３２は、案内板３３に支持された状態で抜け落ちることなくスムーズに上昇して、シャッターボックス２の下側まで移動される。
【００５９】
［効果］
以上のように、閂３２の両側端部に設けられたスライダ３６の摺接支持部３６Ｂが、互いに反対方向にせり出した各案内板３３に外側から覆うように取り付けられて上下にスライドするので、閂３２がスムーズに移動すると共に、閂３２の抜け落ちを防止することができる。
【００６０】
［第４実施形態］
次に本発明の第４実施形態に係るシャッターの補強構造について説明する。
【００６１】
本実施形態に係るシャッターの全体構成は上記第１実施形態に係るシャッター１とほぼ同様であるので、同一部材には同一符号を付してその説明を省略する。なお、図８は本実施形態に係るシャッターの補強構造を示す要部斜視図である。図９は本実施形態に係るシャッターを示す正面図である。図１０は図８の要部断面図である。
【００６２】
本実施形態に係るシャッターの補強構造の特徴は、第１実施形態の閂１４と座板７との間に指を挟まないように改良したものである。具体的には、閂１４の下側面に取り付け穴４１が設けられ、この取り付け穴４１にスペーサ４２が取り付けられている。この取り付け穴４１及びスペーサ４２は、閂１４の両端部（ガイドレール４，５の近傍）にそれぞれ設けられている。このスペーサ４２の厚さは人の指と同じかそれ以上に設定する。スペーサ４２の材料としてはゴム等の弾性材料を用いる。
【００６３】
これ以外は上記第１実施形態に係るシャッター１と同様の構成を有している。
【００６４】
［動作］
以上のように構成された本実施形態のシャッターの全体的な動作は上述した第１実施形態のシャッター１と同様である。
【００６５】
そして、本実施形態では、スラット３を引き上げてシャッターボックス２内に収納するときには、作業者が座板７を手で持って上げるが、座板７が各スペーサ４２に当接して閂１４を支持し、閂１４をシャッターボックス２の下側まで移動させる。このとき、座板７と閂１４との間には、スペーサ４２の厚さだけの隙間が空いているため、指が閂１４と座板７との間に挟まることがなくなる。
【００６６】
［効果］
以上のように、スペーサ４２で座板７と閂１４との間に隙間を設けたので、作業者が指を挟むことがなくなり、安全性が向上する。
【００６７】
［第５実施形態］
次に本発明の第５実施形態に係るシャッターの補強構造について説明する。
【００６８】
本実施形態に係るシャッターの全体構成は上記第１実施形態に係るシャッター１とほぼ同様であるので、同一部材には同一符号を付してその説明を省略する。なお、図１１は本実施形態に係るシャッターの補強構造を示す要部断面図である。図１２は本実施形態に係るシャッターを示す概略側面図である。
【００６９】
本実施形態に係るシャッターの補強構造の特徴は、閂５１を改良した点にある。具体的には、閂５１のスラット３側面にその全幅に亘って、シャッター押え部材としてのモヘア５２を設けた。このモヘア５２は、上記スラット案内溝部９のモヘア１２及び閂案内溝部１０のモヘア１５と同様に構成されている。
【００７０】
この閂５１は、スラット３の一側にのみ設けても、両側に設けてもよい。
【００７１】
［動作］
以上の構成により、閂５１がストッパ１６に載置されると、閂５１のモヘア５２がスラット３の表面に当接して横からスラット３を支持し、このスラット３の振動を抑える。閂５１がスラット３の両側面に配設される場合には、モヘア５２がスラット３の両側から当接して横からスラット３を支持し、両側からスラット３の振動を抑える。
【００７２】
［効果］
以上のように、モヘア５２でスラット３を横から支持するので、スラット３の振動が抑えられ、ガタツキ音の発生を解消することができる。
【００７３】
さらに、閂５１をスラット３の両側に配設して各モヘア５２でスラット３を両側から押さえるようにすると、よりガタツキ音の発生を解消することができる。
【００７４】
［第６実施形態］
次に本発明の第６実施形態に係るシャッターの補強構造について説明する。
【００７５】
本実施形態に係るシャッターの全体構成は上記第１実施形態に係るシャッター１とほぼ同様であるので、同一部材には同一符号を付してその説明を省略する。なお、図１３は本実施形態に係るシャッターの補強構造を示す要部斜視図である。図１４は本実施形態に係るシャッターを示す概略側面図である。図１５は折り畳み式係止爪を設けたシャッターが巻き取られる前の状態を示す概略側面図である。図１６は図１５のシャッターの折り畳み式係止爪の部分が巻き取られた状態を示す概略側面図である。
【００７６】
本実施形態に係るシャッターの補強構造の特徴は、閂１４とスラット３とを互いに固定する点にある。具体的には、スラット３に係止部としての折り畳み式係止爪６１を設け、閂１４に被係止部としての係止穴６２を設けた。
【００７７】
折り畳み式係止爪６１は、スラット３に固定される固定板部６１Ａと、蝶番６１Ｂによって固定板部６１Ａに回動可能に取り付けられた回動爪部６１Ｃとから構成されている。
【００７８】
回動爪部６１Ｃの先端部は、係止穴６２に嵌合するように垂直下方に折り曲げられて形成されている。この回動爪部６１Ｃは、蝶番６１Ｂによって固定板部６１Ａに対して回動可能に支持されているが、その回動範囲は、折り畳み状態（図１６に示すように、固定板部６１Ａと整合する状態）から、水平状態（図１５に示すように、固定板部６１Ａと直角に起こされた状態）までとなっている。蝶番６１Ｂにはバネ（図示せず）が設けられ、回動爪部６１Ｃが付勢されている。具体的には、外力を加えない状態で回動爪部６１Ｃが図１５の水平状態になるように付勢されている。これにより、スラット３が巻き取られて回動爪部６１Ｃが既に巻き取られているスラット３に当接すると、図１６のように、押されて折り畳まれるようになっている。
【００７９】
この折り畳み式係止爪６１は、各スラット３が床まで引き下ろされ、閂１４がストッパ１６に支持された状態で、閂１４の係止穴６２に整合する高さのスラット３に取り付けられている。さらに、折り畳み式係止爪６１は、スラット３の横方向中央寄りの位置に１又は２以上設けられている。
【００８０】
係止穴６２は、閂１４の上側面に、上記折り畳み式係止爪６１に対応して１又は２以上設けられている。係止穴６２は、折り畳み式係止爪６１の回動爪部６１Ｃの先端部に合わせて長方形状に形成されている。
【００８１】
これ以外は上記第１実施形態に係るシャッター１と同様の構成を有している。
【００８２】
［動作］
以上の構成により、スラット３が引き下ろされると、図１５に示すように、巻き取られたスラット３に押されて折り畳み状態になっていた折り畳み式係止爪６１の回動爪部６１Ｃがバネの付勢力で水平状態に起こされる。
【００８３】
この状態でスラット３がさらに引き下ろされると、座板７に支持されていた閂１４がストッパ１６に支持され、さらに引き下ろされると、回動爪部６１Ｃの先端部が係止穴６２に嵌合して、スラット３と閂１４とが互いに一体的に支持される。
【００８４】
これにより、スラット３の裏面側から吹く風等による圧力（負圧）に対しては閂１４がスラット３に直接的に接触して支持する。スラット３の表面側から吹く風等による圧力（正圧）に対しては、閂１４に係止された折り畳み式係止爪６１が支持する。
【００８５】
一方、スラット３をシャッターボックス２内に収納するときには次のようになる。スラット３を引き上げると、折り畳み式係止爪６１は閂１４の係止穴６２から外れて上昇する。シャッターボックス２内において、図１５に示すように、スラット３は巻き取りドラム６３に巻き取られていく。このとき、折り畳み式係止爪６１は、図１６に示すように折り畳まれる。即ち、回動爪部６１Ｃが、巻き取りドラム６３に既に巻き取られたスラット３に接触して押されて折り畳み状態になる。これにより、スラット３は、折り畳み式係止爪６１に部分で嵩張ることなく、巻き取りドラム６３に巻き取られていく。
【００８６】
［効果］
以上のように、折り畳み式係止爪６１でスラット３と閂１４とを一体的に支持するようにしたので、スラット３の表面側と裏面側の両方からの圧力に対して、スラット３を補強することができるようになる。
【００８７】
さらに、折り畳み式係止爪６１でスラット３と閂１４とを一体的に支持するようにしたので、スラット３が表面側へも裏面側へも振動することがなく、ガタツキ音の発生を解消することができる。
【００８８】
［変形例］
（１）  上記各実施形態では、開閉体としてのスラット式のシャッターを例に説明したが、パネル、シート、布等の他の形式のシャッターの場合も、本発明を適用することにより、上記各実施形態同様の作用、効果を奏することができる。さらに、シャッター以外に、ドア、ブラインド、スクリーン等の場合にも、本発明を適用することにより、上記各実施形態同様の作用、効果を奏することができる。
【００８９】
（２）  上記各実施形態では、閂１４，２１等をガイドレール４，５等に沿って出し入れできるようにしたが、防火シャッター等のように、繰り出される場合を主に考慮すれば良いものに対しては、閂１４，２１等も閂案内溝部に沿って繰り出されることのみを考慮することとしても良い。
【００９０】
さらに、閂１４，２１等の繰り出しについては、シャッター１の座板７に支持されて引き下ろされる場合のほか、自重によりストッパ１６等の位置まで落下するようにしてもよい。なおこの場合は、落下する閂がはねないでストッパに装着されるようにストッパの形状を工夫したり、ストッパを大きくしたりする。
【００９１】
この自重で落下させる構成は、特に、防火シャッター等のように、繰り出される場合を主に考慮すれば良いものに対して有効である。
【００９２】
さらに、シャッターの出し入れを閂の重さで付勢するようにしてもよい。例えば、防火シャッターの場合は、自重で降下するようになっているものがある。この防火シャッターのスラットの下部が耐火布等の軽量部材でできているような場合は、スラット下部の軽量部材の座板等に閂が支持されていたり、降下開始後の例えば初期に閂を繰り出したりすると、降下開始時や開始後に閂の自重によりシャッターの降下が付勢されるので、シャッターをよりスムーズに降下させることができる。
【００９３】
この閂によるシャッターの付勢方向は閂の自重を利用する下方向には限らず、上方向等でもよい。即ち、シャッターが上方へせり出す構成の場合には、閂も上方へせり出す構成になるが、この閂をせり出す付勢力を利用してシャッターを付勢するようにしてもよい。シャッターが斜め方向へ移動する場合も同様である。
【００９４】
（３）  上記各実施形態では、閂１４，２１等をシャッターの表面側又は裏面側に設けたが、開閉体の内部に空間が形成されている場合は、その内部に閂を組み込むようにしてもよい。例えば、開閉体がスクリーンの場合、このスクリーンを袋状に形成し、袋の内部に閂を装着するようにしてもよい。この場合、スクリーンの所定位置に予め閂を固定しておいても、スクリーンを繰り出した後に、袋の内部に閂を落下させるようにしてもよい。この場合、袋状のスクリーンの所定位置（閂が配置される位置）で袋を横方向に縫い合わせて閂支持部を形成する。閂を落下させる場合も、閂をスクリーンの内部に予め収納しておき、スクリーンの繰り出しと同時に上記袋を縫い合わせた閂支持部に落下させるようにしてもよい。また、スクリーンを繰り出した後にスクリーンの上端部が開口するようにしておき、その開口から閂支持部に落下させるようにしてもよい。
【００９５】
（４）  上記各実施形態では、閂１４，２１等を四角筒材で構成したが、円筒材を用いてもよい。この場合、閂１４，２１等の閂案内溝部１０での動きがさらにスムーズになる。
【００９６】
この場合も、上記各実施形態同様の作用、効果を奏する。
【００９７】
（５）  上記各実施形態では、閂１４、２１等をシャッターボックス２の下側に直接に当接して収納するようにしたが、シャッターボックス２の下側面に閂１４、２１等の収納スペースを設けてもよい。
【００９８】
（６）  上記各実施形態では、閂１４、２１等をスラット３の座板７で支持して上下に移動させるようにしたが、閂１４、２１等の両側をワイヤ等の支持部材で支持して、必要なときだけ閂１４、２１等を出し入れするようにしてもよい。
【００９９】
この場合も、上記各実施形態同様の作用、効果を奏する。
【０１００】
（７）  上記第２実施形態では、抜け止め手段としてローラ２５，２６を用いたが、閂２１の端部を拡大してモヘア嵌合溝２２に係止するスペーサ（第３実施形態のスライダ３６の嵌合部３６Ａのようなスペーサ）等を取り付けるだけでもよい。この場合も、閂３２の抜け落ちを防止することができる。
【０１０１】
（８）  上記第３実施形態では、閂３２の両端部にはスライダ３６だけを設けたが、このスライダ３６に回動可能に支持され、案内板３３に嵌合してスライダ３６をスムーズに移動させるローラを設けてもよい。また、閂３２の下側面にストッパ３４と当接するスペーサ（第４実施形態のスペーサ４２のようなもの）を設けてもよい。
【０１０２】
（９）  上記第４実施形態では、閂１４の下側にスペーサ４２を設けたが、閂１４の上側にスペーサ４２と同様の弾性部材を設けてもよい。この場合、閂１４が座板７に支持されて引き上げられて、シャッターボックス２に当接するときに、衝突音を解消することができる。なお、この弾性部材を設ける構成は、他の実施形態にも適用することができる。
【０１０３】
この場合も、上記各実施形態同様の作用、効果を奏する。
【０１０４】
（１０）  また、上記第４実施形態では、閂１４の下側にスペーサ４２を設けたが、座板７の上側にスペーサ４２を設けるようにしてもよい。この場合も第４実施形態と同様に作用、効果を奏することができる。
【０１０５】
（１１）  上記各実施形態では、閂１４、２１等を直線上の棒材で構成したが、湾曲させた棒材、屈曲させた棒材又は板材等を用いてもよい。これらの場合は、閂で押さえられる面積（スラット３の枚数）が多くなり、補強及びガタツキ音の発生解消の効果がさらに向上する。なお、この場合、シャッターボックス２の下側での収納が可能な範囲で、閂を湾曲させたり、板幅を設定したりする。
【０１０６】
この場合も、上記各実施形態同様の作用、効果を奏する。
【０１０７】
（１２）  上記第３実施形態では、ストッパ３４を別体の部材として構成したが、図１７に示すように、案内板３３の一部を水平に折り曲げてストッパ７１を構成してもよい。このように構成されたストッパ７１でも、閂３２はあまり重くないため、十分に支持することができる。この場合、ストッパ３４に比べてさらに構造を簡単にすることができる。
【０１０８】
（１３）  上記第４実施形態では、スペーサ４２を設けて閂１４と座板７との間に隙間を空けたが、図１８に示すように、その戸当り７２でスペーサ４２を兼用してもよい。
【０１０９】
この場合も、上記各実施形態同様の作用、効果を奏する。
【０１１０】
（１４）  上記第５実施形態では、閂５１のスラット３側面にモヘア５２を設けたが、図１９に示すように、先端がカールした軟質合成樹脂のビード７３を閂５１のスラット３側面に設けてもよい。
【０１１１】
また、このモヘア５２やビード７３は、上記各実施形態のように、閂１４、２１等が閂案内溝部１０に沿って上下に移動する場合に限らず、従来の閂、即ちシャッターの両側に設けられた支持具に横方向から通す従来の閂に用いてもよい。
【０１１２】
この場合も、上記各実施形態同様の作用、効果を奏する。
【０１１３】
（１５）  上記第１実施形態では、閂１４を１本だけ設けたが、２本以上設けてもよい。例えば、２本の閂を設ける場合は、図２０及び図２１に示すようになる。閂１４の上側に第２閂８１を設ける。この第２閂８１の両端部には、後述の第２閂案内溝８４に嵌合して案内される係合突起８１Ａを設ける。
【０１１４】
閂案内溝部１０内には、その縦方向全長に亘って、断面Ｌ字状のスペーサ８２，８３を設けて第２閂案内溝８４を形成する。第２閂８１の係合突起８１Ａは、この第２閂案内溝８４に嵌合して上下の移動が案内される。
【０１１５】
スペーサ８２，８３には、閂１４のためのストッパ８５，８６が所定位置に設けられる。さらに、第２閂案内溝８４内には、閂１４のためのストッパ８５，８６よりも高い位置に第２閂８１のためのストッパ８７が設けられる。
【０１１６】
この場合、スラット３を２カ所の位置で支持するので、さらに強力にスラット３を補強することができる。
【０１１７】
（１６）  上記第１実施形態では、ストッパ１６を別体の部材として構成したが、図２２に示すように、閂案内溝部１０の壁面の一部を水平に折り曲げてストッパ９１を形成してもよい。
【０１１８】
さらに、上記第１実施形態では、ストッパ１６を平坦面状に形成したが、図２３に示すように、ストッパ１６の係合突起９２を設けると共に、閂１４の両端部のうち係合突起９２に対向する位置に係合穴９３を設けてもよい。これにより、閂１４はストッパ１６に安定して支持される。
【０１１９】
（１７）  上記第１実施形態では、閂１４をスラット３の外側面に設けたが、スラット３の内側面に設けてもよい。この場合は、閂案内溝部１０をスラット案内溝部９の内側、即ち、補強管部８に閂案内溝部１０を一体的に形成し、この閂案内溝部１０の外側にスラット案内溝部９を設ける。
【０１２０】
（１８）  上記各実施形態及び各変形例においては、シャッターが上から下に下ろされることで窓等を閉じるように構成したが、シャッターの閉じる方向は上下左右斜めのいずれの方向でもよいことはいうまでもない。例えば、横方向にずらして閉じる構成や、下から上に上げて閉じる構成のシャッターにおいても、上記同様の作用、効果を奏することができる。なお、この場合は、スラット３側にストッパや係止片を設けて、このスラット３が引き出されるときにストッパや係止片で閂１４等を支持してスラット３と一緒に出し入れされることになる。
【０１２１】
【発明の効果】
以上、詳述したように本発明によれば、次のような効果を奏する。
【０１２２】
（１）  シャッター等の開閉体の外側面又は内側面に閂を配設するので、開閉体の強度を大幅に向上させることができる。また、閂を伴って出し入れさせる閂案内部を設けたので、特別に閂を保管する場所を必要とせず、また閂を取り付けるための作業も必要としないため、その取り扱いが極めて容易になる。さらに、閂案内部の構造が簡単で、安価な開閉体の補強構造を提供することができる。さらにまた、閂又は開閉体のいずれか一方に係止部を、他方に被係止部を備えて、開閉体と閂とが互いに一体的に支持されるようにしたので、開閉体のガタツキが抑えられ、ガタツキ音の発生を防止することができる。
（２）  閂の両端部に抜け止め手段を設けたので、閂は閂案内溝内に挿入された状態で支持され、閂の出し入れの際に誤って閂が外れてしまうことがなくなる。
【０１２３】
（３）  閂の両端部に取り付けた移動片を、案内板に外側から引っ掛けて閂の案内板に沿う移動を支持するようにしたので、移動片が案内板に支持されて移動し、閂のはずれを防止する。
【０１２４】
（４）  閂の開閉体側面に開閉体押え部材を設けたので、開閉体のガタツキを抑えられ、ガタツキ音の発生を防止することができる。
【図面の簡単な説明】
【図１】本発明の第１実施形態に係るシャッターの補強構造を示す要部斜視図である。
【図２】本発明の第１実施形態に係るシャッターの全体構成を示す斜視図である。
【図３】本発明の第１実施形態に係るシャッターの動作を示す図である。
【図４】本発明の第２実施形態に係るシャッターの補強構造を示す要部斜視図である。
【図５】図４のシャッターの補強構造を示す平面図である。
【図６】本発明の第３実施形態に係るシャッターの補強構造を示す要部斜視図である。
【図７】図６のシャッターの補強構造を示す平面図である。
【図８】本発明の第４実施形態に係るシャッターの補強構造を示す要部斜視図である。
【図９】本発明の第４実施形態に係るシャッターを示す正面図である。
【図１０】図８の要部断面図である。
【図１１】本発明の第５実施形態に係るシャッターの補強構造を示す要部断面図である。
【図１２】本発明の第５実施形態に係るシャッターを示す概略側面図である。
【図１３】本発明の第６実施形態に係るシャッターの補強構造を示す要部斜視図である。
【図１４】本発明の第６実施形態に係るシャッターを示す概略側面図である。
【図１５】折り畳み式係止爪を設けたシャッターが巻き取られる前の状態を示す概略側面図である。
【図１６】図１５のシャッターの折り畳み式係止爪の部分が巻き取られた状態を示す概略側面図である。
【図１７】第３実施形態のストッパ３４の変形例を示す要部斜視図である。
【図１８】第４実施形態のスペーサ４２の変形例を示す要部斜視図である。
【図１９】第５実施形態のモヘア５２の変形例を示す要部断面図である。
【図２０】第１実施形態の閂１４を２本設けた変形例を示す要部平面断面図である。
【図２１】第１実施形態の閂１４を２本設けた変形例を示す要部斜視図である。
【図２２】第１実施形態のストッパ１６の変形例を示す要部斜視図である。
【図２３】第１実施形態のストッパ１６の変形例を示す要部斜視図である。
【符号の説明】
１：シャッター、２：シャッターボックス、３：スラット、４，５：ガイドレール、６：下枠、７：座板、８：補強管部、９：スラット案内溝部、１０：閂案内溝部、１２：モヘア、１４，２１，３２，５１：閂、１５，２２：モヘア、１６：ストッパ、２２Ａ：ローラ受け部、２３：ローラ取り付け穴、２４：抜け止め用ローラ、２５：ローラ取り付け金具、３１：ガイドレール、３３：案内板、３４：ストッパ、３６：スライダ、３６Ａ：嵌合部、３６Ｂ：摺接支持部、４１：取り付け穴、４２：スペーサ、５２：モヘア、６１：折り畳み式係止爪、６１Ａ：固定板部、６１Ｂ：蝶番、６１Ｃ：回動爪部、６２：係止穴。
【図１】
0003594503.tif 000002
【図２】
0003594503.tif 000003
【図３】
0003594503.tif 000004
【図４】
0003594503.tif 000005
【図５】
0003594503.tif 000006
【図６】
0003594503.tif 000007
【図７】
0003594503.tif 000008
【図８】
0003594503.tif 000009
【図９】
0003594503.tif 000010
【図１０】
0003594503.tif 000011
【図１１】
0003594503.tif 000012
【図１２】
0003594503.tif 000013
【図１３】
0003594503.tif 000014
【図１４】
0003594503.tif 000015
【図１５】
0003594503.tif 000016
【図１６】
0003594503.tif 000017
【図１７】
0003594503.tif 000018
【図１８】
0003594503.tif 000019
【図１９】
0003594503.tif 000020
【図２０】
0003594503.tif 000021
【図２１】
0003594503.tif 000022
【図２２】
0003594503.tif 000023
【図２３】
0003594503.tif 000024